【手続補正書】
【提出日】平成16年10月25日(2004.10.25)
【手続補正１】
【補正対象書類名】明細書
【補正対象項目名】全文
【補正方法】変更
【補正の内容】
【書類名】  明細書
【発明の名称】  密封転がり軸受用シール部材及び密封転がり軸受  
【特許請求の範囲】
【請求項１】軸受内空間と対向する内面所望箇所に、グリースを保持する穴が設けられていることを特徴とする密封転がり軸受用シール部材。
【請求項２】芯金部と弾性シール部からなるシール部材であって、グリースを保持する穴が、軸受内空間に対向する芯金部の内面に設けられていることを特徴とする請求項１に記載の密封転がり軸受用シール部材。
【請求項３】グリースを保持する穴が非貫通であることを特徴とする請求項１又は２に記載の密封転がり軸受用シール部材。
【請求項４】外輪と、内輪と、外輪及び内輪間に転動自在に保持された転動体と、転動体が存在する空間を密封するシール部材とを有する密封転がり軸受において、
前記シール部材は、軸受内空間と対向する芯金部内面所望箇所に、グリースを保持する穴が設けられていることを特徴とする密封転がり軸受。
【請求項５】外輪と、内輪と、外輪及び内輪間に転動自在に保持された転動体と、転動体が存在する空間を密封するシール部材とを有する密封転がり軸受において、
前記シール部材は、芯金部と弾性シール部よりなり、軸受内空間と対向する芯金部内面所望箇所に、グリースを保持する穴が設けられていることを特徴とする密封転がり軸受。
【請求項６】グリースを保持する穴は、芯金部のフランジ部に設けられていることを特徴とする請求項５に記載の密封転がり軸受。
【請求項７】シール部材が非接触であることを特徴とする請求項４乃至６のいずれかに記載の密封転がり軸受。
【請求項８】グリースを保持する穴が非貫通であることを特徴とする請求項4乃至７のいずれかに記載の密封転がり軸受。
【請求項９】両側のシール部材とも、グリースを保持する穴が設けられていることを特徴とする請求項４乃至８のいずれかに記載の密封転がり軸受。 
【発明の詳細な説明】
【０００１】
【発明の属する技術分野】
本発明は、自動車や家電機器などに使用される密封転がり軸受に関する。
【０００２】
【従来の技術】
密封転がり軸受は、例えば、転動体４００が存在する軸受内空間５００を密封するため、シール部材３００を外輪１００と内輪２００との間に有している。
このシール部材３００には、芯金部３０１と弾性シール部３０２からなるタイプが知られており、そのシール部材３００の一形態を図３に基き説明すると、円環部３０１ａと、該円環部３０１ａから径方向に延びたストレート状のフランジ部３０１ｂとからなる芯金部３０１と、該芯金部３０１の外面を被覆すると共に、内径側にリップ部３０２ａを設けた弾性シール部３０２とで構成されている。
【０００３】
【発明が解決しようとする課題】
このようなシール部材形状により、軸受内空間５００の容積は、軸受外輪内径面１０１から、シール芯金部内面３０１ｃ、軸受内輪外径面２０１ａ、保持器６００までの範囲となり、該空間５００内にグリース７００を充填し潤滑を図っている。
しかしながら、上述の空間５００内にグリース７００を多めに封入すると、軸受回転後、グリース７００が漏れる可能性がある。
【０００４】
本発明は、従来技術の有するこのような問題点に鑑みなされたもので、その目的とするところは、グリースを多めに封入し得る構成として潤滑性を良くすると共に、軸受及びグリース寿命の延長を図った密封転がり軸受用シール部材及び該シール部材を配した密封転がり軸受を提供することである。
【０００５】
【課題を解決するための手段】
上記課題を達成するために本発明がなした技術的手段は、軸受内空間と対向する内面所望箇所に、グリースを保持する穴が設けられている密封転がり軸受用シール部材としたことである。
【０００６】
また、上記シール部材が、芯金部と弾性シール部からなる構成の場合、グリースを保持する穴が、軸受内空間に対向する芯金部の内面に設けられている構成としたことである。
【０００７】
グリースを保持する穴が非貫通であることを特徴とする密封転がり軸受用シール部材としたことである。
【０００８】
外輪と、内輪と、外輪及び内輪間に転動自在に保持された転動体と、転動体が存在する空間を密封するシール部材とを有する密封転がり軸受において、前記シール部材は、軸受内空間と対向する芯金部内面所望箇所に、グリースを保持する穴が設けられていることを特徴とする密封転がり軸受としたことである。
【０００９】
外輪と、内輪と、外輪及び内輪間に転動自在に保持された転動体と、転動体が存在する空間を密封するシール部材とを有する密封転がり軸受において、前記シール部材は、芯金部と弾性シール部よりなり、軸受内空間と対向する芯金部内面所望箇所に、グリースを保持する穴が設けられていることを特徴とする密封転がり軸受としたことである。
【００１０】
前記軸受において、グリースを保持する穴は、芯金部のフランジ部に設けられていることを特徴とする。
【００１１】
前記軸受において、シール部材が非接触であることを特徴とする。
【００１２】
前記軸受において、グリースを保持する穴が非貫通であることを特徴とする。
【００１３】
前記軸受において、両側のシール部材とも、グリースを保持する穴が設けられていることを特徴とする。
【００１４】
【発明の実施の形態】
以下、本発明の一実施形態を図に基づいて説明する。
【００１５】
図面は、本発明密封転がり軸受の一実施形態を示し、外輪１と、内輪３と、保持器６によって外輪１及び内輪３間に転動自在に保持された転動体５と、転動体５が存在する軸受内空間１１を密封するシール部材７とを有し、該空間１１内にはグリース１２が充填されている。
なお、本発明において、外輪１、内輪３、転動体５及び保持器６にあっては、特に図示形態に限定解釈されるものではなく、本発明の範囲内において設計変更可能である。また、転動体５は玉をもって説明するが、ころであってもよい。
【００１６】
シール部材７は、円環状に形成され、その外径７ｂ側を外輪（回転輪）１に固定して軸受内空間１１を密封している。また、シール部材は、外径側と内径側のいずれか一方が回転輪側に固定され、外輪と内輪間に配される構成を有するものであればよく限定されない。
本実施形態におけるシール部材７は、円環部８ａから径方向に延びたストレート状のフランジ部８ｂを有する芯金部８と、該芯金部８の外面８ｃを被覆すると共に、内径７ｃ側にリップ部９ａを設けた弾性シール部９とで構成されると共に、軸受内空間１１に対向して露出する芯金部８の内面（フランジ部内面）８ｄにグリース１２を保持する穴１０が設けられている。
【００１７】
本実施形態では、穴１０が芯金部８の内面８ｄと外面８ｃにわたって連通状に設けられているが、外面８ｃに連通させない穴形状とすることも勿論可能である。
【００１８】
上記穴１０は、芯金部８の内面８ｄ任意箇所に任意の穴径・穴深さをもって設けることが可能で、特にその配設箇所・穴径・穴深さなどに限定されるものではない。また、穴形状も任意で、所望長さの溝状に構成されているものであっても良い。
また穴１０は、任意箇所に一個、又は周方向と径方向のいずれか若しくは双方に規則正しく若しくは不規則に複数個設けてもよい。
複数個配設する場合の各穴径・穴形状などは、統一されていても統一されていなくてもよく任意に設計変更可能である。
【００１９】
なお、上記芯金部８と弾性シール部９の全体形状は特に図示形状に限定されず任意である。またリップ部９ａの形状・リップ部の有無も任意である。
【００２０】
本実施形態によれば、芯金部８にグリース１２を保持するための穴１０を設けたことにより、外輪内径面２から、シール部材内面７ａ（芯金部内面８ｄ）、穴１０、内輪外径面４、保持器６までの範囲によって軸受内空間１１が構成されることとなる。
従って、軸受内空間１１の容積が拡大され、グリース１２の一部が上記穴１０内に付着して、潤滑を良好に保つことができる。
【００２１】
また、グリース１２を保持する穴１０は、いずれか一方のシール部材７にのみ設けるものであってもよいが、本実施形態のように、両側のシール部材７，７の双方共に芯金部８のフランジ部８ｂにグリース１２を保持する穴１０を設ける構成とした方が軸受内空間容積を拡大できるため好ましい。
【００２２】
本実施形態では、軸受内空間１１に対向する芯金部８のフランジ部内面８ｄにグリース１２を保持する穴１０を設けた構成としたが、軸受内空間１１に対向するシール部材７の内面７ａに、グリース１２を保持する穴１０が設けられている形態であれば全て本発明の範囲内である。
すなわち、芯金部８の全体が弾性シール部９によって被覆されている場合には、軸受内空間１１に対向するシール内面７ａ、例えば軸受内空間１１に対向する弾性シール部９のみに穴１０を設けるか、若しくは、弾性シール部９と芯金部８に連通して穴１０を設ける構成が考えられる。なお、シール部材７が弾性シール部のみからなる（芯金を有しない）構成である場合には、その軸受内空間１１に対向するシール内面７ａの任意箇所にグリース１２を保持する穴１０を設けるものとする。
その他の構成作用効果は、上述した本実施形態と同様である。
【００２３】
【発明の効果】
本発明によると、軸受内部の空間容積を拡大し、グリースの一部がシール部材の内面に設けたグリースを保持する穴内に付着して多量のグリースが充填可能なため、潤滑剤を良好に保つことができる。従って、軸受及びグリース寿命の延長を図った密封転がり軸受を提供することができる。
【図面の簡単な説明】
【図１】本発明の一実施形態を示す断面図。
【図２】本発明の要部たるシール部材部分の拡大断面図。
【図３】従来技術の断面図。
【符号の説明】
１：外輪
２：外輪内径
３：内輪
４：内輪外径
５：転動体
６：保持器
７：シール部材
７ａ：シール部材内面
７ｂ：外径
７ｃ：内径
８：芯金部
８ａ：円環部
８ｂ：フランジ部
８ｄ：芯金部内面
９：弾性シール部
９ａ：リップ
１０：穴
１１：軸受内空間
１２：グリース